(57)【要約】【課題】高速遠心分離において風切り音による騒音を低減するとともに、一般の遠心分離とヘマトクリット値測定のための遠心分離を同時に高速で行うことができるようにした遠心分離機用ロータおよび遠心分離機を提供する。【解決手段】ロータ４をロータ本体８とボス９とで構成し、ロータ本体８の上下面を上カバー１０と下カバー１１とで覆う。ロータ本体８にチューブ２０が装着される複数のチューブ孔１５と、ヘマトクリック値測定用毛細管２３が装着される複数の毛細管用溝２４が形成されている。上カバー１０は、カバー本体５０とつまみ５１とからなり、付勢手段５２によってカバー本体５０をロータ本体８の上面に押し付けている。【選択図】  図１
2007152209.tif 000002
【特許請求の範囲】
【請求項１】
駆動モータの出力軸に取付けられるロータ本体と、このロータ本体の下側を覆う下カバーと、前記ロータ本体の上側を覆う上カバーとを備え、
前記ロータ本体は、回転軸心に対して軸線が内側に傾斜し上下に貫通する複数のチューブ孔が同心円状に設けられるとともに、上面にヘマトクリット値測定用毛細管を収容する多数条の毛細管用溝が放射状に形成され、
前記下カバーは、前記各チューブ孔の下部を覆う覆い部を有し、
前記上カバーは、前記チューブ孔と前記毛細管用溝を覆いかつ前記ロータ本体の上面を押圧するカバー本体と、このカバー本体に一体的に接続されたつまみとで構成され、前記カバー本体には前記ロータ本体の上面から離間し前記チューブ孔の上部を覆う膨出部が設けられていることを特徴とする遠心分離機用ロータ。
【請求項２】
請求項１記載の遠心分離機用ロータにおいて、
前記つまみは、前記カバー本体に対して上下動自在でロータ本体に着脱可能に取付けられ、前記つまみと前記カバー本体との間には前記カバー本体を前記ロータ本体の上面に押し付ける付勢手段が設けられていることを特徴とする遠心分離機用ロータ。
【請求項３】
請求項１または２記載の遠心分離機用ロータにおいて、
前記つまみは、下方に開放する筒状体に形成され下端に円周方向に等間隔おいて形成された複数の逆Ｊ字状のスロットを有し、
前記ロータ本体は、中央に設けられたボスと、このボスに設けられ前記各スロットにそれぞれ係入する複数の係止ピンとを含み、
前記ボスは、前記駆動モータの出力軸が嵌合する内側円筒部と、前記ロータ本体が嵌合する外側円筒部と、これら両円筒部間に形成され前記つまみが遊挿される環状溝とを有し、
前記各係止ピンは、前記環状溝を横断して両端部が前記内側円筒部と前記外側円筒部に設けたピン用孔によって支持され、
前記ロータ本体は、前記外側円筒部に嵌合されることにより当該円筒部のピン用孔を塞ぐことを特徴とする遠心分離機用ロータ。
【請求項４】
請求項１，２，３のうちのいずれか１つに記載の遠心分離機用ロータを備えたことを特徴とする遠心分離機。
【発明の詳細な説明】
【技術分野】
【０００１】
本発明は、遠心分離機用ロータおよびこれを用いた遠心分離機に関し、特に一般の遠心分離とヘマトクリット値測定のための遠心分離を選択的にまたは同時に行うことができる遠心分離機用ロータに関するものである。
【背景技術】
【０００２】
遠心分離機による血液、尿、生化学的サンプル（以下、これらを総称して呼ぶ場合は液体試料という）の遠心分離（通常の遠心分離）は、一般に３０００ｒｐｍで１０分程度行われる。
【０００３】
一方、遠心分離機による血液のヘマトクリット値測定のための遠心分離は、通常１２０００ｒｐｍで５分程度行われる。なお、ヘマトクリット値の測定に必要な血液量は、通常の遠心分離に比べてきわめて微量（５０μｌ程度）であるため、採血には外径が２ｍｍ程度の毛細管が用いられる。
【０００４】
遠心分離機に用いられるロータのうち、特に一般の遠心分離と、血液のヘマトクリット値測定のための遠心分離を可能にしたロータとしては、例えば特許文献１〜４に開示されたものが知られている。
【０００５】
前記特許文献１に記載されているヘマトクリット沈澱管式兼用遠心分離機回転盤は、盤面上に形成されたヘマトクリット値測定用の毛細管を収容する複数の溝と、血液を収容した沈澱管を収容する複数の孔とを備え、血液のヘマトクリット値の測定時には毛細管を前記溝に装着し、通常の血液の遠心分離時には沈澱管を前記孔に装着するようにしている。
【０００６】
特許文献２に記載されている遠心力沈降機用回転盤は、取着用軸管の外周に沈澱管の掛孔を有する回転盤の周縁部上面に周壁を設け、この周壁の内側に表面に多数条の毛細管用溝が放射状に形成されたヘマトクリット用回転盤を任意に取り出し得るように内装し、通常の血液の遠心分離時にはヘマトクリット用回転盤を回転盤から取り外して血液を収容した沈降管を回転盤の掛孔に装着し、血液のヘマトクリット値の測定時にはヘマトクリット用回転盤を回転盤に内装し、血液を収容した毛細管を毛細管用溝に装着するようにしている。
【０００７】
特許文献３の第１図〜第４図に示されている遠心分離機用ロータは、ロータ軸の軸線に対して傾斜した複数の沈澱管用孔が同心円状に形成されているとともに、上面に複数の毛細管用溝が放射状に形成されたロータ本体と、このロータ本体の底面側に回動可能に取付けられ前記沈澱管用孔を選択的に覆う風防板とを備え、この風防板に前記沈澱管用孔に連通し得る複数の孔を設け、通常の血液の遠心分離時には血液を収容した沈澱管をロータ本体の沈澱管用孔と風防板の孔に差し込み、血液のヘマトクリット値の測定時にはヘマトクリット値測定用の毛細管を毛細管用溝に装着し、風防板を回動させて沈澱管用孔の下端側開口部を覆うようにしている。
【０００８】
特許文献４に記載されている実験室用血液分離及びヘマトクリット調製遠心器は、駆動モータの出力軸に取付けられケーシング内に配設されるロータを備えている。このロータは、ボウル形本体とヘッドとからなり、ヘッドの中間に設けた円錐台形状のウエブに血液試料管を収納する複数のソケットを設け、ヘッドの上面に細い管状のヘマトクリットを収容する複数のスロットを放射状に設け、ボウル形本体によってヘッドの底部を覆っている。
【０００９】
【特許文献１】実公昭３８−１６９８２号公報
【特許文献２】実公昭４６−２７１７２号公報
【特許文献３】特公昭５８−２２２５４号公報
【特許文献４】特開昭４９−６５５５７号公報
【発明の開示】
【発明が解決しようとする課題】
【００１０】
しかしながら、前記特許文献１〜３に記載されている遠心分離機回転盤は、いずれも分離管と毛細管を選択的に装着して使用する構成を採っているため、血液の遠心分離とヘマトクリット値測定のための遠心分離とを同時に行うことができず、処理に要する時間が長くなるという問題があった。
【００１１】
また、特許文献２，３に記載されている回転盤は、いずれも血液分離用回転盤（底板）と、ヘマトクリット測定用回転盤（毛細管保持板）とを備え、ヘマトクリット値測定時にヘマトクリット測定用回転盤を血液分離用回転盤に装着する必要があるので、部品点数が増加するばかりか、操作時において、取付け、取外し作業が煩わしいという問題があった。
【００１２】
また、特許文献３の第１図〜第４図に示されている遠心分離機用ロータにおいては、ヘマトクリット用ロータとして使用するときに、ロータの外周からロータの底面に指を回してロータ本体の底面側に設けている風防板を指先で回動させて沈澱管用孔の下端側開口部を閉じ、通常の遠心分離用ロータとして使用するときには風防板を回動させて風防板の孔を沈澱管用孔と一致させ、これらの孔に沈澱管を差し込み装着する必要がある。このため、風防板による沈澱管用孔の開閉操作が煩わしく、さらには風防板によって沈澱管用孔を閉め忘れたまま遠心分離を行うと、騒音が発生するという問題もあった。すなわち、沈澱管用孔が開いたままであると、孔の開口縁によって空気を切るため風切り音による騒音が発生し、回転数が高くなればなるほど、またロータの上面に凸凹があればあるほど大きな騒音となり、しかも渦の発生によって空気抵抗が増大するためロータの回転数が低下してしまう。
【００１３】
一方、特許文献４に記載されている実験室用血液分離およびヘマトクリット調製遠心器は、血液試料管が装着されるソケットと細い管からなるヘマトクリットが装着されるスロットを高さ方向にずらし、試料管とヘマトクリットが互いに干渉しないようにしているために、一般の遠心分離とヘマトクリット値測定のための遠心分離を同時に行うことができるとしている。しかしながら、この遠心器は、ロータの上部を覆う蓋またはカバーを全く備えていないため、血液分離とヘマトクリット値測定を高速で同時に行うと、液体試料管の頭部が凹凸形状を形成することから風切り音による騒音が大きく、作業環境への影響が大きいという問題があった。
【００１４】
本発明は上記した従来の問題を解決するためになされたもので、その目的とするところは、高速遠心分離において風切り音による騒音を低減するとともに、一般の遠心分離とヘマトクリット値測定のための遠心分離を同時に行うことができるようにした遠心分離機用ロータおよび遠心分離機を提供することにある。
【課題を解決するための手段】
【００１５】
上記目的を達成するために本発明に係る遠心分離機用ロータは、駆動モータの出力軸に取付けられるロータ本体と、このロータ本体の下側を覆う下カバーと、前記ロータ本体の上側を覆う上カバーとを備え、前記ロータ本体は、回転軸心に対して軸線が内側に傾斜し上下に貫通する複数のチューブ孔が同心円状に設けられるとともに、上面にヘマトクリット値測定用毛細管を収容する多数条の毛細管用溝が放射状に形成され、前記下カバーは、前記各チューブ孔の下部を覆う覆い部を有し、前記上カバーは、前記チューブ孔と前記毛細管用溝を覆いかつ前記ロータ本体の上面を押圧するカバー本体と、このカバー本体に一体的に接続されたつまみとで構成され、前記カバー本体には前記ロータ本体の上面から離間し前記チューブ孔の上部を覆う膨出部が設けられているものである。
【００１６】
また、本発明に係る遠心分離機用ロータは、前記つまみが前記カバー本体に対して上下動自在でロータ本体に着脱可能に取付けられ、前記つまみと前記カバー本体との間には前記カバー本体を前記ロータ本体の上面に押し付ける付勢手段が設けられているものである。
【００１７】
また、本発明に係る遠心分離機用ロータは、前記つまみはが下方に開放する筒状体に形成され下端に円周方向に等間隔おいて形成された複数の逆Ｊ字状のスロットを有し、前記ロータ本体が中央に設けられたボスと、このボスに設けられ前記各スロットにそれぞれ係入する複数の係止ピンとを含み、前記ボスが前記駆動モータの出力軸が嵌合する内側円筒部と、前記ロータ本体が嵌合する外側円筒部と、これら両円筒部間に形成され前記つまみが遊挿される環状溝とを有し、前記各係止ピンが前記環状溝を横断して両端部が前記内側円筒部と前記外側円筒部に設けたピン用孔によって支持され、前記ロータ本体が前記外側円筒部に嵌合されることにより当該円筒部のピン用孔を塞ぐものである。
【００１８】
さらに、本発明に係る遠心分離機は、上記遠心分離機用ロータを備えているものである。
【発明の効果】
【００１９】
本発明に係る遠心分離機用ロータにおいては、上カバーと下カバーとでロータ本体の上側と下側を覆っているので、高速回転時における風防効果および渦防止効果が高く騒音が軽減された低騒音型のロータを提供することができる。したがって、血液の通常の遠心分離であっても高速遠心分離が可能であり、通常の遠心分離とヘマトクリット値測定のための高速遠心分離を同時に行うことができ、処理時間を短縮することができる。
上カバーは、ロータ本体の上面を押圧し毛細管が毛細管用溝から飛び出すのを防止する。上カバーの膨出部は、チューブ孔に装着されるチューブの上端部を覆い、上カバーの上方に突出するのを防止する。
【００２０】
また、本発明においては、付勢手段によって上カバーをロータ本体の上面に押し付けているので、遠心分離時にカバー本体が振動したりせず、騒音の発生を防止する。
【００２１】
また、本発明においては、つまみを係止する一対の係止ピンをボスの内側円筒部と外側円筒部によって両端支持しているので、係止ピンを安定した状態で支持でき、片持支持した場合に比べてカバー本体に対する付勢手段の押圧力を大きくすることができる。
外側円筒部のピン用孔をロータ本体によって覆っているので、遠心力によって係止ピンがピン用孔から抜け出すのを確実に防止することができる。
【００２２】
さらに、本発明においては、前記遠心分離機用ロータを備えているので、高速遠心分離が可能な遠心分離機を提供することができる。
【発明を実施するための最良の形態】
【００２３】
以下、本発明を図面に示す実施の形態に基づいて詳細に説明する。
図１は本発明に係る遠心分離機の要部の断面図、図２はロータ本体の平面図、図３は図２のIII −III 線断面図、図４は図２のＩＶ−ＩＶ線拡大断面図、図５はボスの係止ピンと逆Ｊ字状スロットを示す図、図６は上カバーのカバー本体の平面図、図７は同カバー本体の断面図、図８は下カバーの平面図、図９は同下カバーの断面図である。図１において、２は駆動モータ、３は駆動モータ２の出力軸、４に出力軸３に取付けられた遠心分離機用ロータ（以下、ロータと略称する）、５は駆動モータ２とロータ４を収容する鍋型のケーシングで、これらによって通常の血液分離と血液のヘマトクリット値測定を可能にした遠心分離機１を構成している。
【００２４】
図１〜図４において、前記ロータ４は、ロータ本体８と、このロータ本体８を保持するボス９と、ロータ本体８の上面側を覆う上カバー１０と、同じくロータ本体８の下面側を覆う下カバー１１とで構成されている。
【００２５】
前記ロータ本体８は、円板状に形成されて前記ボス９が嵌合する中心孔１３を有し、上面１４の半径方向中間部には８個のチューブ孔１５が円周方向に等間隔おいて同心円状に形成されている。これらのチューブ孔１５は、ロータ本体８の上面１４と下面１６に開口する貫通孔であって、ロータ本体８の回転軸線１７（図１）に対して軸線１８が内側に略４５°の角度で傾斜するように形成されており、血液等の液体試料１９を収容したチューブ２０がアルミニウム製の容器２１を介して装着される。容器２１は、予めチューブ孔１５に挿入固定されており、下端部をロータ本体８の下方に突出させている。
【００２６】
また、ロータ本体８の上面１４には、ヘマトクリット値測定用毛細管（以下、毛細管と略称する）２３を収容する１６条の毛細管用溝２４と、同心円からなる２つの環状凹部２５，２６が形成されている。このため、ロータ本体８の上面１４は、中心孔１３と内側の環状凹部２５間の環状の内側上面１４ａと、内側の環状凹部２５と外側の環状凹部２６間の環状の外側上面１４ｂとで構成されており、これらの内側上面１４ａと外側上面１４ｂに前記毛細管用溝２４が隣り合うチューブ孔１５間に２条ずつ位置するように放射状に形成されている。内側環状凹部２５と外側環状凹部２６は、上面１４と毛細管２３との接触面積を少なくして毛細管２３内の血液への熱的影響を少なくするとともに、毛細管２３を毛細管用溝２４に対して装着したり毛細管用溝２４から取り出したりする際に、指先がこれら凹部に挿入されることにより毛細管２４の着脱操作を容易にするために設けられている。内側環状凹部２５は、断面形状が逆台形状で、チューブ孔１５の上端が開口している。内側環状凹部２５の底部で前記チューブ孔１５の上端が開口している部位には、チューブ２０のロータ本体８の上方への突出寸法を小さくするために断面Ｖ字状の凹部２８が形成されている。
【００２７】
外側環状凹部２６は、ロータ本体８の外壁３０に沿って形成されている。外壁３０は、前記ロータ本体８の上面１４より高く形成されている。また、外壁３０の内周面には、環状溝３１が全周にわたって形成されている。この環状溝３１は、外側環状凹部２６の底面から上面１４までの高さと一致する溝幅と適宜な深さを有し、ゴムリング３２が嵌着されている。
【００２８】
一方、ロータ本体８の下面１６は略全面にわたって平坦面に形成されており、下カバー１１を固定するための止めねじ３９がねじ込まれる複数のねじ孔３３と、下カバー１１の外端を係止する環状溝３４が形成されている。
【００２９】
このようなロータ本体８は、遠心力による大きな繰り返し荷重に耐えられるように、高張力アルミニウムを鍛造して形成したブロック材を切削加工することによって形成されている。
【００３０】
図１において、前記ボス９は、ＳＵＳ３０４等によって下方に開放する筒状体に形成することにより、前記駆動モータ２の駆動軸３が嵌合する円筒状の本体（内側円筒部）９Ａと、この本体９Ａの下端側外周面に一体に突設されたフランジ９Ｂと、このフランジ９Ｂの上面に一体に突設された外側円筒部９Ｃとで構成されている。本体９Ａは、前記ロータ本体８の中心孔１３より小さな外径を有し、上面板９Ｄの中央にはボルト３５が挿通される取付孔３６が形成されている。本体９Ａの駆動軸３が嵌合する中心孔３７の下端開口部には、下方に向かって拡径するテーパ状孔部３７ａが形成されている。
【００３１】
前記フランジ９Ｂは、ロータ本体８の下面１６に前記下カバー１１を介して密接され、前記ねじ孔３３にねじ込まれる複数個の止めねじ３９によって下カバー１１とともにロータ本体８に固定される。フランジ９Ｂの上面から本体９Ａの上端までの高さは、ロータ本体８の板厚より大きく設定されている。
【００３２】
前記外側円筒部９Ｃは、前記ロータ本体８の板厚より下カバー１１の板厚分だけ高い高さを有して中心孔１３に嵌合される。本体９Ａと外側円筒部９Ｃとの間には、適宜な溝幅を有する環状溝４０が形成されている。また、本体９Ａと外側円筒部９Ｃには、２本の係止ピン４１が互いに軸線を一致させてボス９の半径方向に打ち込まれている。このため、各係止ピン４１は、前記環状溝４０を横断し両端部が前記本体９Ａと外側円筒部９Ｃに設けたピン用孔４３，４４によってそれぞれ保持されている。ピン用孔４３，４４は、本体９Ａと外側円筒部９Ｃの高さ方向中間部にそれぞれ設けられている。ピン用孔４３は、本体９Ａの外周面に設けられた不貫通孔からなり、ピン用孔４４は外側円筒部９Ｃに貫通して設けられている。
【００３３】
このようなボス９は、本体９Ａが駆動モータ２の駆動軸３に嵌合され、ボルト３５が取付孔３６を通って駆動軸３の先端面に形成されているねじ孔にねじ込まれることにより駆動軸３に固定されている。なお、駆動軸３には、ボス９のテーパ孔部３７ａに嵌合する回転伝達リング４６が嵌着されている。この回転伝達リング４６は、スリ割りを有するテーパ状のリングからなり、ボルト３５の締め付けによってボス９が下降してテーパ孔部３７ａが押し付けられると、縮径方向に弾性変形して駆動軸３を緊縛し、駆動軸３とボス９とを強固に連結する。
【００３４】
図１、図６および図７において、前記上カバー１０は、前記ロータ本体８の上面１４全体を覆うカバー本体５０と、このカバー本体５０に一体的に接続されたつまみ５１とを備え、またつまみ５１にはカバー本体５０をロータ本体８の上面１４に押し付ける付勢手段５２が装着されている。
【００３５】
前記カバー本体５０は、板厚が１ｍｍ程度のアルミニウム板等によって円板状に形成されて中央に前記つまみ５１が貫通する中心孔５４を有し、またこの中心孔５４の周囲の板部分は補強のために上方に膨出させることにより第１の膨出部５５を形成している。また、この第１膨出部５５の外側には前記ロータ本体８の内側環状凹部２５の上方空間を覆う第２の膨出部５６が設けられている。第１の膨出部５５は、断面形状が台形状で連続した環状体を形成している。一方、第２の膨出部５６は、断面形状が山形で同じく連続した環状体を形成している。そして、カバー本体５０の前記第１、第２の膨出部５５，５６以外の板部分５７，５８は、同一平面を形成しており、前記ロータ本体８の各上面１４ａ，１４ｂにそれぞれ密接される。このため、ロータ４を高速回転させても、カバー本体５０によって風切り音が殆ど発生せず、静粛に遠心分離することができる。なお、カバー本体５０の外径は、前記ロータ本体８の外壁３０の上端部の内径と略等しい。
【００３６】
前記つまみ５１は、アルミニウム等によって下方に開放する円筒状に形成されることにより、円筒状のつまみ本体５１Ａと、このつまみ本体５１Ａの上側を覆う上面板５１Ｂとを備えている。つまみ本体５１Ａは、前記ボス９の環状溝４０に遊挿され得る板厚、内径および外径を有する円筒体からなり、前記カバー本体５０の中心孔５４に上下動自在に嵌挿され、止め輪６０によってカバー本体５０の下方への脱落を防止している。つまみ本体５１Ａの下端には、図５に示すように各係止ピン４１に対応する２つのスロット６１が円周方向に１８０°離間してそれぞれ形成されている。このスロット６１は、図５に示すように逆Ｊ字状のスロットからなり、前記係止ピン４１の外径より若干大きな溝幅を有している。
【００３７】
前記上面板５１Ｂは、前記つまみ本体５１Ａの外径より大きな円板状に形成されており、外周には折曲部５７が垂設されている。この折曲部５７とつまみ本体５１Ａとの間には前記付勢手段５２を収納する環状の収納溝５８が形成されている。
【００３８】
前記付勢手段５２は、外径が異なる大小２つの圧縮コイルばね５２ａ，５２ｂからなり、上端部が前記収納溝５８内に収納されて上面板５１Ｂの下面に圧接され、下端が前記つまみ本体５１Ａの外周に設けたばね受けプレート５９に圧接されている。前記ばね受けプレート５９は、つまみ本体５１Ａの外周に上下動自在に嵌着されており、付勢手段５２によってカバー本体５０の上面に押し付けられている。付勢手段５２として２つの圧縮コイルばね５２ａ，５２ｂを用いた理由は、大きな押圧力を得るためである。ただし、圧縮コイルばねの数は２つに特定されるものではなく、所定の押圧力が得られる場合は、１つであってもよい。
【００３９】
図１、図８および図９において、前記下カバー１１は、上カバー１０のカバー本体５０と同様に板厚が１ｍｍ程度のアルミニウム板等によって円板状に形成されており、前記ボス９の外側円筒部９Ｃが嵌合する中心孔６６と、前記止めねじ３９が挿通される４つのねじ取付孔６７を有し、外周部には下方に向かって膨出し前記容器２１の下部を覆う連続した環状の膨出部６８が設けられている。下カバー１１の前記膨出部６８より内側部分、すなわち前記中心孔６６と膨出部６８との間の板部分６９は、平板に形成されていて前記ロータ本体８の下面１６に密接され、ボス９とともに止めねじ３９によって固定される。下カバー１１をロータ本体８の下面に固定すると、膨出部６８の外端縁は前記下面１６の外周寄りに形成した環状の係止溝３４に挿入係止される。
【００４０】
このような構造からなる遠心分離機１において、血液、尿等の液体試料１９を遠心分離する際には、上カバー１０をロータ本体８のボス９から取外し、液体試料１９を収容したチューブ２０を容器２１内に装着する。そして、上カバー１０をボス９に再び取付け、ロータ本体８の上面１４、チューブ孔１５およびチューブ２０を覆う。
【００４１】
上カバー１０の取付けに際しては、つまみ５１のつまみ本体５１Ａをボス９の環状溝４０に挿入してばね受けプレート５９をカバー本体５０の第１の膨出部５５の上面に接触させ、スロット６１に係止ピン４１を係入する。さらに、つまみ５１を図５矢印方向に回動させながら押し下げて係止ピン４１をスロット６１の終端６１ａに移動させる。つまみ５１を押し下げると、付勢手段５２である２つの圧縮コイルばね５２ａ，５２ｂは圧縮されるため、ばね受けプレート５９を介してカバー本体５０を押し下げ、ロータ本体８の上面１４に押し付け、つまみ５１を上方に付勢する。これによって、ロータ４に対するチューブ２０の装着作業が終了する。そして、駆動モータ２を駆動してロータ４を所定の回転数（例えば、３０００ｒｐｍ）で低速回転させることにより、液体試料１９の遠心分離が行われる。
【００４２】
血液のヘマトクリット値測定を行うときには、上カバー１０をボス９から取外し、血液を収納した毛細管２３をロータ本体８の毛細管用溝２４に装着する。毛細管２３は、血液を毛細管現象を利用して所定量（例えば、５０μｌ）採取した後、採取側開口端をパテ等の適宜な封止部材によって封止し、封止側端を外側にして毛細管用溝２４に上方から差し込み、封止側端をゴムリング３１の内周面に接触させる。そして、再び上カバー１０をボス９に装着してロータ本体８の上面１４をカバー本体５０によって覆う。これによりロータ４に対する毛細管２３の装着作業が終了し、駆動モータ２を駆動してロータ４を所定の回転数（例えば、１２０００ｒｐｍ）で高速回転させることにより、毛細管２３内の血液の高速遠心分離が行われる。
【００４３】
血液、尿等の液体試料１９の遠心分離と、血液のヘマトクリット値測定のための遠心分離を同時に行うときには、上カバー１０をロータ本体８のボス９から取外し、液体試料１９を収納するチューブ２０を容器２１に装着し、血液を収容する毛細管２３を毛細管用溝２４に装着する。そして、再び上カバー１０をボス９に装着してロータ本体８の上面１４をカバー本体５０によって覆う。これによって、ロータ４に対するチューブ２０と毛細管２３の装着作業が終了し、駆動モータ２を駆動してロータ４を所定の回転数（例えば、１２０００ｒｐｍ）で高速回転させることにより、チューブ２０内の液体試料１９と毛細管２３内の血液の高速遠心分離が行われる。なお、下カバー１１は、上記したいずれの遠心分離時においてもロータ４から取り外されることがない。
【００４４】
このように、本発明においては上カバー１０と下カバー１１とを備え、血液のヘマトクリット値測定のための遠心分離はもとより液体試料１９の遠心分離時においても上カバー１０を用いてロータ４の上面側を覆うようにしたので、ロータ４を高速回転させてもロータ４の上面形状やチューブ２０による空気の渦の発生が著しく少なく、空気抵抗および騒音を低減することができる。このため、液体試料１９の遠心分離と、ヘマトクリット値測定のための遠心分離を、高速遠心分離によって同時に行うことができるようになり、遠心分離時間を大幅に短縮することができる。
【００４５】
また、上カバー１０は、カバー本体５０がロータ本体８の上面１４に付勢手段５２によって押し付けられているので、遠心分離時に風圧によって外周縁部が上下にばたついたりせず、安定した状態でロータ本体８を覆い、毛細管２３が浮き上がって毛細管用溝２４から飛び出すのを防止することができる。さらに、つまみ５１を係止する係止ピン４１は、ボス９の本体９Ａと外側円筒部９Ｃとによって両端が支持されているので、付勢手段５２がカバー本体５０を大きな押圧力でロータ本体８に押し付けても曲がったりすることがなく、つまみ５１を安定した状態で係止することができる。また、ピン用孔４４は、ロータ本体８の中心孔１３によって塞がれているので、係止ピン４１が遠心力で抜け出すことがない。
【００４６】
なお、上記した実施の形態においては、２本の係止ピン４１によってつまみ５１を係止するようにしたが、本発明はこれに特定されるものではなく、２本以上の係止ピンを用いてもよい。
【図面の簡単な説明】
【００４７】
【図１】本発明に係る遠心分離機の要部の断面図である。
【図２】ロータ本体の平面図である。
【図３】図２のIII −III 線断面図である。
【図４】図２のＩＶ−ＩＶ線拡大断面図である。
【図５】ボスの係止ピンと逆Ｊ字状スロットを示す図である。
【図６】上カバーのカバー本体の平面図である。
【図７】同カバー本体の断面図である。
【図８】下カバーの平面図である。
【図９】同下カバーの断面図である。
【符号の説明】
【００４８】
１…遠心分離機、２…駆動モータ、３…出力軸、４…遠心分離機用ロータ、５…ハウジング、８…ロータ本体、９…ボス、１０…上カバー、１１…下カバー、１５…チューブ孔、２０…チューブ、２３…毛細管、２４…毛細管用溝、４３，４４…ピン用孔、５０…カバー本体、５１…つまみ、４１…係止ピン、６１…スロット、５５…第１の膨出部、５６…第２の膨出部。
【図１】
2007152209.tif 000003
【図２】
2007152209.tif 000004
【図３】
2007152209.tif 000005
【図４】
2007152209.tif 000006
【図５】
2007152209.tif 000007
【図６】
2007152209.tif 000008
【図７】
2007152209.tif 000009
【図８】
2007152209.tif 000010
【図９】
2007152209.tif 000011